(57)【要約】【課題】接着剤が本来接着すべき箇所以外に付着することなく、簡易且つ効率よく、リブを弾性ベルト内周面に接着可能な弾性ベルトのリブ接着装置、及びリブ接着方法を提供すること。【解決手段】開閉挿入部材２０（傘部２１）により、弾性ベルト１２の端部端部外径を押し広げた状態で、外周面に接着剤が塗布されたリブ１４を挿入し、そして、弾性ベルト１２の端部外径を収縮することで、弾性ベルト１２内周面を接着剤が塗布されたリブ１４外周面へ押し付け、リブ１４が接着される。このため、本来接着すべき箇所以外に付着することなく、簡易且つ効率よく、リブを弾性ベルト１２内周面に接着可能となる。【選択図】図４
2007196555.tif 000002
【特許請求の範囲】
【請求項１】
弾性ベルトの一端部内部へ挿入され、当該一端部内周面へ圧接して端部外径を押し広げると共に、当該圧接を解除して端部外径を収縮する開閉手段と、
前記一端部の外径が広げられた弾性ベルトの一端部内部へ、接着剤が塗布されたリブを挿入するリブ挿入手段と、
を有することを特徴とする弾性ベルトのリブ接着装置。
【請求項２】
弾性ベルトの端部外径を押し広げて、当該一端部の外径が広げられた弾性ベルトの一端部内部へ、接着剤が塗布されたリブを挿入した後、弾性ベルトの端部外径を縮めて弾性ベルトの端部内側にリブを接着することを特徴とする弾性ベルトのリブ接着方法。
【発明の詳細な説明】
【技術分野】
【０００１】
本発明は、弾性ベルトに、例えば蛇行防止ガイドとして内周面にリブを接着するための弾性ベルトのリブ接着装置、及びリブ接着方法に関する。
【背景技術】
【０００２】
無端ベルトには、走行時の蛇行や片寄りを防止するため、特許文献１に記載のように、一端又は両端に、蛇行防止部材（以後、リブ）が接着されることがある。リブには通常、ウレタンゴムのような弾性部材が用いられる。
【０００３】
ここで、ポリイミドの如き弾性を有しない樹脂ベルトに弾性リブを取り付けるには、特許文献２のように、円形状の溝にリブを装着させ、樹脂ベルトを外側からかぶせて、エアー等による加圧で樹脂ベルトとリブを接着させる方法がある。しかしながら、上記方法では、リブを接着した後のベルトを脱着するのが困難である。また、ベルトを装着する時に、接着剤が本来接着すべき箇所以外に付着する虞が大きい。
【０００４】
そして、弾性を有するベルトには、それに適したリブの接着方法が望まれていた。
【０００５】
【特許文献１】特開２００４−５３６２９公報
【特許文献２】特開２００２―５５５３２公報
【発明の開示】
【発明が解決しようとする課題】
【０００６】
従って、本発明は、従来の諸問題に鑑み、接着剤が本来接着すべき箇所以外に付着することなく、簡易且つ効率よく、リブを弾性ベルト内周面に接着可能な弾性ベルトのリブ接着装置、及びリブ接着方法を提供することを目的とする。
【課題を解決するための手段】
【０００７】
上記課題は、以下の手段により解決される。即ち、
本発明の弾性ベルトのリブ接着装置は、
弾性ベルトの一端部内部へ挿入され、当該一端部内周面へ圧接して端部外径を押し広げると共に、当該圧接を解除して端部外径を収縮する開閉手段と、
前記一端部の外径が広げられた弾性ベルトの一端部内部へ、接着剤が塗布されたリブを挿入するリブ挿入手段と、
を有することを特徴としている。
【０００８】
本発明の弾性ベルトのリブ接着装置では、弾性ベルトの端部端部外径を押し広げた状態で、外周面に接着剤が塗布されたリブを挿入し、そして、弾性ベルトの端部外径を収縮することで、弾性ベルト内周面が接着剤が塗布されたリブ外周面へ押し付けられて、リブが接着される。このため、接着剤が本来接着すべき箇所以外に付着することなく、簡易且つ効率よく、リブを弾性ベルト内周面に接着可能となる。
【０００９】
本発明の弾性ベルトのリブ接着装置において、前記開閉手段の開閉量を変えることができる。これにより、弾性ベルトの端部を押し広げる大きさを変え、接着時の押し付け圧力が調整できる。
【００１０】
本発明の弾性ベルトのリブ接着装置において、前記リブは無端状であることがよい。
【００１１】
一方、本発明の弾性ベルトのリブ接着方法は、弾性ベルトの端部外径を押し広げて、当該一端部の外径が広げられた弾性ベルトの一端部内部へ、接着剤が塗布されたリブを挿入した後、弾性ベルトの端部外径を縮めて弾性ベルトの端部内側にリブを接着することを特徴としている。
【００１２】
本発明の弾性ベルトのリブ接着方法では、上記弾性ベルトのリブ接着装置で述べたように、接着剤が本来接着すべき箇所以外に付着することなく、簡易且つ効率よく、リブを弾性ベルト内周面に接着可能となる。
【００１３】
本発明の弾性ベルトのリブ接着方法において、前記弾性ベルトの端部外径を押し広げる大きさを変ることができる。これにより、接着時の押し付け圧力が調整できる。
【００１４】
本発明の弾性ベルトのリブ接着方法において、前記リブは無端状であることがよい。
【発明の効果】
【００１５】
本発明よれば、接着剤が本来接着すべき箇所以外に付着することなく、簡易且つ効率よく、リブを弾性ベルト内周面に接着可能な弾性ベルトのリブ接着装置、及びリブ接着方法を提供することができる。
【発明を実施するための最良の形態】
【００１６】
以下、本発明の実施形態について図面を参照しつつ説明する。あの、実質的に同一の機能を有する部材には、全図面通して同じ符合を付与し、重複する説明は省略する場合がある。
【００１７】
図１は、実施形態に係る弾性ベルトのリブ接着装置の傘部が閉じた状態を示す概略構成図である。図２は、実施形態に係る弾性ベルトのリブ接着装置の傘部が開いた状態を示す概略構成図である。図３は、実施形態に係る弾性ベルトのリブ接着装置によるリブ接着の様子を示す工程図である。図４は、実施形態に係る弾性ベルトのリブ接着装置によるリブ接着の様子を示す工程図である。但し、リブ接着に寄与する主要部のみを示し、周辺部は省略する。
【００１８】
なお、図１及び図２において、（Ａ）は側断面図を示し、（Ｂ）は傘部の正面図を示している。
【００１９】
実施形態に係る弾性ベルトのリブ接着装置（以下、単にリブ接着装置と称する）１０は、図１及び図２に示すように、弾性ベルト１２の一端内部へ挿入され、弾性ベルト１２一端部内周面へ圧接して端部外径を押し広げると共に、当該圧接を解除して端部外径を収縮する開閉挿入部材２０と、無端状のリブ１４を配置するリブ取り付け部材３０と、リブ取り付け部材３０に取り付けられたリブと所定の間隔をあけて覆うように移動可能なリブ保護部材４０を有している。
【００２０】
開閉挿入部材２０は、外径が増減する傘部２１と、傘部２１を弾性ベルト１２軸方向へ動かすシャフト２５とを有している。開閉挿入部材２０は、弾性ベルト１２端部外径の拡大・収縮を行うと共に、リブを弾性ベルト１２端部内部に挿入する機能も兼ねている。即ち、開閉挿入部材２０は、開閉手段及びリブ挿入手段に相当する。
【００２１】
シャフト２５は、リブ取り付け部材３０を貫いて配置され、一端が傘部２１と連結され、他端がシリンダー等の駆動手段（不図示）と連結されている。
【００２２】
傘部２１は、支持部２２と、支持部２２四辺に連結された４つの扇状部２３とを有している。この扇状部２３は、支持部２２との当該連結部を軸として揺動可能となっている。シャフト２５は支持部２２中央に連結されている。
【００２３】
傘部２１は、その４つの隣合う扇状部２３がスプリングなどの弾性部材２４（図１（Ａ）及び図２（Ａ）では省略している）により連結され、当該弾性部材２４の付勢力により、常時では隣合う扇状部２３の端部（支持部２２との連結部とは反対側端部）が近接し、閉じた状態となっている。
【００２４】
そして、シャフト２５をベルト軸方向外側（傘部を連結した方向とは反対方向）に引くと、リブ取り付け部材３０の截頭円錐部３１が４つの扇状部２３内へ入り込み、４つの扇状部２３はリブ取り付け部材３０の截頭円錐部３１外周面小径部から大径部へと当接位置が移動するので、傘部２１は広がる（図２参照）。
【００２５】
逆に、シャフト２５をベルト軸方向内側（傘部を連結した方向）に押すと、４つの扇状部２３はリブ取り付け部材３０の截頭円錐部３１外周面大径部から小径部へと当接位置が移動するので、傘部２１は閉じた状態となる（図１参照）。
【００２６】
傘部２１は、扇状部２３を広げたときの外径が弾性ベルト１２の外径よりも大きく且つ装着されるリブの大きさよりも大きくなるようにしており、閉じたときの外径が弾性ベルト１２の最小内径（リブ１４を取り付けた際のリブ１４取り付け部の内径）よりも小さくなるようにしている。
【００２７】
このようにして、傘部２１の４つの扇状部２３が弾性ベルト１２内周面と圧接しつつ可動することで、弾性ベルト１２端部外径の拡大が行われ、当該圧接を解除することで収縮が行われる。
【００２８】
リブ取り付け部材３０は、漸次外径が大きくなる截頭円錐部３１と、無端状のリブ１４が配置される第１円柱部３２、第１円柱部３２よりも外径が大きく構成し階段状に連結されている第２円柱部３３と、を有している。
【００２９】
リブ保護部材４０は、無端状のリブ１４が配置される第１円柱部３２の外形よりも大きく、配置されたリブ１４と所定の間隔を有する内径部分を有する第１円筒部４１と、広げられた弾性ベルトの端部が当接される第２円筒部４２と、第２円筒部４２に連続し設けられた支持部４３とを有し、第１円筒部４１及び第２円筒部４２とは、この順に外形が大きく構成し階段状に連結されている。
【００３０】
このような構成のリブ接着装置１０では、次のようにして接着が行われる。まず、図３（Ａ）に示すように、リブ接着装置１０のシャフト２５と、弾性ベルト１２と、を同軸線上に配置する。弾性ベルト１２は弾性体なので、つぶれないように保持しておく。
【００３１】
ここで、弾性ベルト１２は内径が３９ｍｍ、内周長１２３ｍｍ、厚さ０．４５ｍｍの無端状クロロプレン系ゴムからなり、ゴム硬度（ＪＩＳ  Ｋ６２５３に規定されているタイプＡデュロメータ硬さ試験方法に準拠）がＡ７５/Ｓ、１００％伸張時の引張応力（ＪＩＳ  Ｋ６２５１に規定されている測定方法に準拠）が３ＭＰａ、引張切断伸び（ＪＩＳ  Ｋ６２５１に規定されている測定方法に準拠）が３００％以上のものを用いた。
【００３２】
次に、図３（Ａ）に示すように、接着剤１６が外周面に塗布された無端状のリブをリブ取り付け部材３０の第１円柱部３２に配置する。ここで、リブ１４は弾性ベルト１２と同材質で、幅５ｍｍ、厚み１．１ｍｍ、外周径３９．４ｍｍの無端状クロロプレン系ゴムからなるものを用いた。
【００３３】
次に、図３（Ｂ）に示すように、開閉挿入部材２０のシャフト２５をベルト軸方向外側へ引くと共に、リブ保護部材４０をベルト軸方向内側（シャフト２５の移動方向と逆方向）に移動させる。
【００３４】
開閉挿入部材２０のシャフト２５をベルト軸方向外側へ引くことで、傘部２１の４つ扇状部２３が移動し、当該扇状部２３が当接するリブ取り付け部材３０の截頭円錐部３１外周面位置の外径増加に伴い、傘部２１がリブ保護部材４０の第１円筒部４２の外径と同じ、あるいは大きくなるように広がる。このときの傘部２１外径は４１ｍｍ（最大外径）である
【００３５】
一方、リブ保護部材４０をベルト軸方向内側に移動させることで、装着されたリブ１４をリブ保護部材４０の第１円筒部４１が所定の間隙を持って覆うこととなる。
【００３６】
次に、図３（Ｃ）に示すように、傘部２１を開いた状態で弾性ベルト１２の端面がリブ保護部材４０の第２円筒部４２の端部に当接するまで、弾性ベルト１２内部へ開閉挿入部材２０を挿入する。
【００３７】
そして、図４（Ｄ）に示すように、シャフト２５をベルト軸方向内側へ押すのと同時にリブ保護部材４０をシャフト２５軸方向外側に移動させることで、リブ１４を覆っていたリブ保護部材４０の第１円柱部４１の覆いがはずれ、かつ、傘部２１が漸次閉じていくため弾性ベルト１２端部外径も収縮していく。この時に、弾性ベルト１２は端部からテンションが緩んでくるため、弾性ベルト１２は弾性力により、リブ１４を上から押し付ける方向、すなわち収縮する方向に弾性ベルト内周面がリブ１４外周面に押し付けられ、リブ１４がベルトに接着される。
【００３８】
この際、リブ１４を上から押し付ける方向、すなわち収縮する方向に弾性ベルト内周面がリブ１４外周面に押し付けられるので、接着剤が弾性ベルト１２外部へはみ出ることなくなる。
【００３９】
ここで、接着剤１６は、弾性ベルト１２外側方向へ逃げるようになることがあるが、第１円柱部３２に連続する段差１８壁面（第２円柱部３３側面）により堰き止められ、弾性ベルト１２の外部へはみだすことをより効果的に防止される。また、接着面がより均一になる効果も期待できる。
【００４０】
その後、図４（Ｅ）に示すように、さらにシャフト２５をベルト軸方向内側へ押すと、傘部２１の外径が弾性ベルト１２外径よりも小さくなり、弾性ベルト１２が取り出される。
【００４１】
このようにして、弾性ベルト１２内周面にリブ１４を接着する。なお、本実施形態では、弾性ベルト１２の内径はφ３９ｍｍ、傘部２１の最大外径が４１ｍｍなので、開閉挿入部材２０（傘部２１）により、４１（ｍｍ）／３９（ｍｍ）＊１００−１００＝５％拡張されてリブ１４が接着される。
【００４２】
このため、傘部２１の最大外径を変更すると、弾性ベルト１２端部を押し広げる大きさが変わり、接着時の押し付け圧力が調整できる。そして、弾性ベルトの特性（弾性率など）や形状に応じて、接着時の押し付け圧力が調整することで、良好なリブ１４の接着が行える。
【００４３】
以上説明したリブ接着装置では、開閉挿入部材２０（傘部２１）により、弾性ベルト１２の端部端部外径を押し広げた状態で、外周面に接着剤が塗布されたリブ１４を挿入し、そして、弾性ベルト１２の端部外径を収縮することで、弾性ベルト１２内周面を接着剤が塗布されたリブ１４外周面へ押し付け、リブ１４が接着される。このため、本来接着すべき箇所以外に付着することなく、簡易且つ効率よく、リブを弾性ベルト１２内周面に接着可能となる。
【００４４】
また、本実施形態では、無端状のリブ１４をそのまま、弾性ベルト１２に接着できるため、例えばリブ１４を蛇行防止ガイドとして利用する場合、リブ１４に継ぎ目がないので、良好な機能を発揮させることができる。
【図面の簡単な説明】
【００４５】
【図１】実施形態に係る弾性ベルトのリブ接着装置の開閉挿入部が閉じた状態を示す概略構成図である。
【図２】実施形態に係る弾性ベルトのリブ接着装置の開閉挿入部が開いた状態を示す概略構成図である。
【図３】実施形態に係る弾性ベルトのリブ接着装置によるリブ接着の様子を示す工程図である。
【図４】実施形態に係る弾性ベルトのリブ接着装置によるリブ接着の様子を示す工程図である。
【符号の説明】
【００４６】
１０…リブ接着装置、１２…弾性ベルト、１４…リブ、１６…接着剤、１８…段差、２０…開閉挿入部材、２１…傘部、２２…支持部、２３…扇状部、２４…弾性部材、２５…シャフト、３０…リブ取り付け部材、３１…截頭円錐部、３２…第１円柱部、３３…第２円柱部、４０…リブ保護部材、４１…第１円柱部、４２…第２円筒部、４３…支持部
【図１】
2007196555.tif 000003
【図２】
2007196555.tif 000004
【図３】
2007196555.tif 000005
【図４】
2007196555.tif 000006